(57)【特許請求の範囲】
【請求項１】
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記カバー層は、前記クッション層の少なくとも１の側面を覆わず、
前記カバー層により覆われない前記クッション層の側面を覆うように配置されたシート状素材である側面カバー部を備える
敷物。
【請求項２】
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記基層はボード状の素材の層であり、
前記傾斜が設けられていない縁部の少なくとも一部において、前記基層の端辺が前記クッション層の端辺より中央方向に後退している
敷物。
【請求項３】
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
長手方向に垂直な平面における断面が「Ｌ」字形状を示すように折り曲げられたシート状の部材であって、前記傾斜が設けられていない縁部の少なくとも一部において、前記クッション層と前記カバー層との間に前記クッション層の角部に沿うように配置された、前記カバー層のエッジ出しのための部材であるエッジ出し部を備える
敷物。
【請求項４】
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記傾斜が設けられている縁部の少なくとも一部において前記カバー層の外側表面に取り付けられた茣蓙よりも摩擦係数が高い素材である滑り止め部を備える
敷物。
【請求項５】
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記クッション層は１枚以上の茣蓙を含む
敷物。
【請求項６】
前記クッション層は２枚の茣蓙を含み、
前記クッション層に含まれる前記２枚の茣蓙は互いにイ草の繊維の長手方向が交差するように配置されている
請求項５に記載の敷物。
【請求項７】
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記クッション層は３枚の弾性体の層を含み、
前記クッション層に含まれる前記３枚の弾性体の層のうち中央に配置される層の弾性値が他の２枚の層の弾性値よりも高い
敷物。
【請求項８】
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記基層はボード状の素材の層であり、
前記基層の側面の少なくとも一部を覆うように配置された弾性体であるクッション部を備える
敷物。
【請求項９】
縁部の少なくとも一部において、隣接して配置される他の敷物との連結を可能とする機構である連結機構を備える
請求項１乃至８のいずれか１項に記載の敷物。
【発明の詳細な説明】
【技術分野】
【０００１】
本発明は、イ草を用いた敷物に関する。
【背景技術】
【０００２】
近年、フローリングの部屋を備える住居が増えている。フローリングは清掃が容易などの利便性を持つ一方、畳と比較して硬いため、直接座ると痛みを伴い快適ではない。
【０００３】
フローリングの上に敷く敷物としては、古くからカーペットや絨毯が広く用いられている。それに対し、近年、和風デザインのフローリングの部屋が増えたり、イ草の有害物質吸収性能、吸放湿性能などの効能が知られたりしたことで、イ草を素材として用いた敷物がフローリングに用いる敷物として普及しつつある。
【０００４】
例えば特許文献１は、イ草繊維の表面全体を透明な被覆フィルムで覆うことで耐久性を高めたイ草を用いた敷物が提案されている。
【先行技術文献】
【特許文献】
【０００５】
【特許文献１】特開２００７−２３９３５２号公報
【発明の概要】
【発明が解決しようとする課題】
【０００６】
イ草を用いた敷物としては、古くから茣蓙がある。最近ではイ草ラグと呼ばれるイ草を用いたカーペット状の敷物も普及しつつある。特許文献１に提案されている敷物もイ草ラグの一種に分類され得る。
【０００７】
従来技術にかかる茣蓙やイ草ラグはいずれも、厚さが薄くクッション性が乏しい。そのため、直接その上に座ると必ずしも快適ではない。
【０００８】
上記の事情に鑑み、本発明は直接その上に座る等しても快適なクッション性の高いイ草素材を用いた敷物を提供することを目的とする。
【課題を解決するための手段】
【００１０】
本発明は、上記の目的に鑑みて想到されたものであり、
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記カバー層は、前記クッション層の少なくとも１の側面を覆わず、
前記カバー層により覆われない前記クッション層の側面を覆うように配置されたシート状素材である側面カバー部を備える
敷物を提案する。
【００１１】
また、本発明は、
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記基層はボード状の素材の層であり、
前記傾斜が設けられていない縁部の少なくとも一部において、前記基層の端辺が前記クッション層の端辺より中央方向に後退している
敷物を提案する。
【００１２】
また、本発明は、
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
長手方向に垂直な平面における断面が「Ｌ」字形状を示すように折り曲げられたシート状の部材であって、前記傾斜が設けられていない縁部の少なくとも一部において、前記ク
ッション層と前記カバー層との間に前記クッション層の角部に沿うように配置された、前記カバー層のエッジ出しのための部材であるエッジ出し部を備える
敷物を提案する。
【００１３】
また、本発明は、
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記傾斜が設けられている縁部の少なくとも一部において前記カバー層の外側表面に取
り付けられた茣蓙よりも摩擦係数が高い素材である滑り止め部を備える
敷物を提案する。
【００１４】
また、本発明は、
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記クッション層は１枚以上の茣蓙を含む
敷物を提案する。
【００１５】
また、上記の敷物において、
前記クッション層は２枚の茣蓙を含み、
前記クッション層に含まれる前記２枚の茣蓙は互いにイ草の繊維の長手方向が交差するように配置されている
という構成が採用されてもよい。
【００１６】
また、本発明は、
ボード状もしくはシート状の素材の層である基層と、
前記基層の上に積層される弾性体の層であるクッション層と、
前記クッション層の上に前記クッション層を覆うように配置された茣蓙であるカバー層と
を備える敷物であって、
少なくとも一部の縁部において、前記カバー層が中央から端部に向かい使用状態における下方に下がるように傾斜しており、
前記クッション層は３枚の弾性体の層を含み、
前記クッション層に含まれる前記３枚の弾性体の層のうち中央に配置される層の弾性値が他の２枚の層の弾性値よりも高い
敷物を提案する。
【００１７】
また、本発明は、
ボード状もしくはシート状の素材の層である基層と、
前記基層の上に積層される弾性体の層であるクッション層と、
前記クッション層の上に前記クッション層を覆うように配置された茣蓙であるカバー層と  
を備える敷物であって、
少なくとも一部の縁部において、前記カバー層が中央から端部に向かい使用状態における下方に下がるように傾斜しており、
前記基層はボード状の素材の層であり、
前記基層の側面の少なくとも一部を覆うように配置された弾性体であるクッション部を備える
敷物を提案する。
【００１８】
また、上記の敷物において、
縁部の少なくとも一部において、隣接して配置される他の敷物との連結を可能とする機構である連結機構を備える
という構成が採用されてもよい。
【発明の効果】
【００１９】
本発明によれば、表面がイ草で覆われたクッション性の高い敷物が提供される。その際、十分なクッション性を確保するために厚さが厚くなるが、そのままではユーザが床と敷物との段差部分に躓いたり、降りる際に段差が気になったりする、という不都合が伴う。しかしながら、本発明にかかる敷物によれば、端部に傾斜が設けられているため、それらの不都合が伴わない。
【図面の簡単な説明】
【００２０】
【図１】本発明の実施形態にかかる敷物が複数枚、床に敷かれた状態を示した図である。
【図２】本発明の実施形態にかかる敷物の形状を示した図である。
【図３】本発明の実施形態にかかる敷物の断面図である。
【図４】本発明の実施形態にかかる敷物が備えるエッジ出し部の形状を示した図である。
【図５】本発明の実施形態にかかる敷物の側面を覆う側面カバー部のイ草繊維の方向を示した図である。
【図６】本発明の実施形態にかかる敷物に設けられた滑り止め部材の配置領域を示した図である。
【図７】本発明の実施形態にかかる敷物が備える連結機構の一例を示した図である。
【図８】本発明の変形例にかかる敷物の形状を示した図である。
【図９】本発明の変形例にかかる連結のための孔の配置および紐の通し方の例を示した図である。
【発明を実施するための形態】
【００２１】
［実施形態］
以下、本発明の一実施形態にかかる敷物１について図面を用いて説明する。
【００２２】
図１は、全体として正方形となるように並べて床に敷かれた状態の９枚の敷物１を示した図である。図１において、９枚の敷物１は各々、敷物１−１〜敷物１−９のように枝番号を付して互いに区別されている。
【００２３】
敷物１はその全体的な形状が３種類のいずれかに区分される。すなわち、角部に配置される敷物１−１、敷物１−３、敷物１−７、敷物１−９が備える第１の形状、角部でない端辺に配置される敷物１−２、敷物１−４、敷物１−６、敷物１−８が備える第２の形状、中央に配置される敷物１−５が備える第３の形状のいずれかである。
【００２４】
図２は、敷物１の第１の形状（図２（ａ））、第２の形状（図２（ｂ））、第３の形状（図２（ｃ））を各々示した図である。
【００２５】
第１の形状の敷物１は、上から見た正方形の４辺のうちの隣り合う２辺において端部に向かうに従い下がるように傾斜した形状を備えている。第１の形状の敷物１には、上表面を覆う茣蓙であるカバー層１０９のイ草繊維の方向が図２（ａ）のｘ方向のもの（敷物１−３、敷物１−７）と、ｙ方向のもの（敷物１−１、敷物１−９）との２種類がある。
【００２６】
第２の形状の敷物１は、上から見た正方形の４辺のうちの１辺において端部に向かうに従い下がるように傾斜した形状を備えている。第２の形状の敷物１には、上表面を覆う茣蓙であるカバー層１０９のイ草繊維の方向が図２（ｂ）のｘ方向のもの（敷物１−２、敷物１−８）と、ｙ方向のもの（敷物１−４、敷物１−６）との２種類がある。
【００２７】
第３の形状の敷物１は、上から見た正方形の４辺のうちのいずれにも傾斜が設けられていない。
【００２８】
上記のような形状を備えるため、例えば図１に示されるように複数の敷物１が敷き詰められると、全体として図１の矢印で示される方向に向かい下がるように傾斜のある形状、すなわち端辺において傾斜した低い丘状の敷物となる。このように端辺が傾斜することで、ユーザが敷物に躓いたり、上り下りの際に段差を感じたりすることがない。
【００２９】
図３は、敷物１を図１のＺ−Ｚ方向に切断した断面図である。図３に示されるように、敷物１は全体として複数のボード状もしくはシート状の素材の積層体をカバー層１０９で覆った構造を備えている。
【００３０】
まず敷物１は、最下層にボード状の素材である基層１０１を備えている。基層１０１の素材は例えば発泡樹脂であり、その厚さは例えば１センチメートル程度である。基層１０１の４辺のうち、傾斜が付いている辺、すなわち図１に示したように並べられた際に外縁に位置する辺の側面を覆うように、弾性シートであるクッション部１０２が取り付けられている。クッション部１０２はユーザが基層１０１に躓いた際、その衝撃を和らげるために設けられている。クッション部１０２の素材は例えばフェルトであり、その厚さは例えば５ミリメートル程度である。
【００３１】
基層１０１の上には、３層のクッション層、すなわち、クッション層１０３、クッション層１０４およびクッション層１０５がその順に下から積層されている。これらのクッション層の素材は例えばウレタンチップフォームであり、厚さは例えば１．５センチメートル程度である。また、それらの３層のクッション層のうち、真ん中に配置されるクッション層１０４は、その上下に配置されるクッション層１０３およびクッション層１０５よりも高い弾性値を示す。すなわち、クッション層１０４はクッション層１０３およびクッション層１０５よりも柔らかい。このように、柔らかめのクッション層１０４を硬めのクッション層１０３およびクッション層１０５で挟むことにより、敷物１の形状の安定性と高いクッション性の両方が得られる。
【００３２】
クッション層１０５の上には、２枚の茣蓙、すなわち茣蓙１０６および茣蓙１０７が積層されている。下側の茣蓙１０６のイ草繊維の方向は、カバー層１０９のイ草繊維の方向と一致し、上側の茣蓙１０７のイ草繊維の方向は、カバー層１０９のイ草繊維の方向と直交するように配置されている。このように、積層された茣蓙のイ草の繊維が交差することにより、敷物１の平面に沿ったいずれの方向においても均質かつ十分な強度が得られるようになる。
【００３３】
例えば図３における敷物１−４の左側の端辺のように、傾斜が設けられている端辺においては、下層の端辺に対し上層の端辺が後退している。例えば、傾斜が設けられている敷物１の端辺においては、基層１０１の端辺に対しクッション層１０３の端辺が１センチメートル程度後退し、クッション層１０３に対しクッション層１０４が４センチメートル程度後退し、クッション層１０４に対しクッション層１０５が４センチメートル程度後退している。このように下層から上層に向かいその端辺が後退するように構成されることで、それらの積層体をカバー層１０９が覆った際、その部分に傾斜ができる。
【００３４】
また、例えば図３における敷物１−４の右側の端辺のように、傾斜が設けられていない端辺においては、基層１０１の端辺がクッション層１０３の端辺から５ミリメートル程度後退している。このように、基層１０１の端辺がクッション層１０３や他のクッション層から後退していることで、互いに隣接して配置される２枚の敷物１の間に隙間が生じにくくなる。隣接する敷物１の硬い基層１０１が互いにぶつかり合わないためである。
【００３５】
例えば図３における敷物１−４の右上部のように、傾斜が設けられていない端辺の上部の角部には、その角部を覆うように、その長手方向に垂直な断面が「Ｌ」字形状を示すように折り曲げられたシート状の部材であるエッジ出し部１０８が配置されている。図４はエッジ出し部１０８の形状を示した図である。エッジ出し部１０８の素材は例えば紙であり、積層された複数枚の薄手の紙であってもよいし、厚手の１枚の紙であってもよい。エッジ出し部１０８はカバー層１０９のエッジをしっかりと出すために配置されている。
【００３６】
カバー層１０９は、基層１０１の互いに対向する２辺の一方から他方に向かい、クッション部１０２、クッション層１０３、クッション層１０４、クッション層１０５、茣蓙１０６、茣蓙１０７、エッジ出し部１０８を上から覆うシート状体であり、その素材は茣蓙である。カバー層１０９の互いに対向する２辺は各々、基層１０１の下側に潜り込んだ状体で基層１０１に対し固定されている。基層１０１に固定されていない他の２辺は、敷物１の内側に向かい折り込まれている。
【００３７】
従って、カバー層１０９は敷物１の互いに対向する１組の側面を覆わない。カバー層１０９により覆われない側面は、カバー層１０９とは独立したシート状体である側面カバー部１１０により覆われている。側面カバー部１１０は茣蓙もしくは布である。側面カバー部１１０として茣蓙が用いられる場合、図５に示すように、側面カバー部１１０のイ草繊維の方向は水平方向となる。このように側面カバー部１１０のイ草繊維が垂直でないために、ユーザが敷物１の上に載り、側面カバー部１１０に垂直方向の力が加わっても、イ草繊維が折れて破損する危険性が少ない。
【００３８】
傾斜している領域のうち、カバー層１０９のイ草繊維の方向が傾斜の方向と平行となる部分には、図６に示されるように、カバー層１０９の表面上に、例えばシリコン樹脂が滑り止め部材１１１としてスプレー等により塗布されている。そのため、ユーザがイ草繊維の方向に沿って滑ることが防止される。なお、シリコン樹脂などの樹脂の塗布に代えて、滑り止め部材１１１として布地がカバー層１０９の表面上に貼り付けや縫い付けにより取り付けられた構成が採用されてもよい。
【００３９】
敷物１の傾斜が設けられていない端辺、すなわち、他の敷物１と隣接する端辺においては、カバー層１０９に孔が複数開けられ、それらの孔の端辺を保護するように鳩目１１２が取り付けられている。この鳩目１１２により保護された孔には、図７に示されるように、紐１１３が通される。ユーザは隣接する敷物１の各々に設けられている鳩目１１２で保護された孔に紐１１３を通し、紐１１３を締め上げることにより、それらの隣接する敷物１同士を連結することができる。
【００４０】
以上のような構成を備える敷物１によれば、外縁部に傾斜が配置されるように形状を選んで敷物１を床に敷き詰めることにより、フローリング等の床の上にイ草素材のクッション性の高い敷物を置くことができ、その上に直接座る等しても快適な住空間が実現される。その際、外縁部に傾斜が設けられているため、ユーザがその縁に躓いたり、敷物１と床との間の上り下りにおいて段差を感じたりする、といった不都合が回避される。また、敷物１の表面を覆うイ草の繊維方向が傾斜の勾配方向と一致する部分には滑り止め部材１１１が設けられているため、ユーザがイ草繊維の方向に沿って滑ることがない。
【００４１】
［変形例］
上述した実施例は、本発明の技術的思想の範囲内で様々に変形が可能である。
【００４２】
上述した実施形態の説明における素材、数値、形状等はあくまで例示であって、本発明を限定するものではない。例えば、敷物１を上から見た形状は正方形に限られず、例えば長方形であってもよい。
【００４３】
また、上述した敷物１においては、３層のクッション層の上に茣蓙が２枚積層された内部構造が採用されているが、例えばクッション層や茣蓙の数はそれに限られず任意に変更可能である。
【００４４】
また、上述した敷物１においては基層１０１にボード状素材が用いられているが、布などのシート状素材が用いられてもよい。それにより、クッション性を損なうことなく敷物１を少々薄くかつ軽量にすることができる。
【００４５】
また、上述した敷物１においては、隣接する敷物１同士を連結するための機構として、鳩目１１２で保護された孔に紐１１３を通して締め上げる構造のものが採用されているが、例えばベルトやスナップボタンなど、他の構造の連結機構が採用されてもよい。
【００４６】
また、上述した説明においては、複数枚が敷き詰められた状態で用いられる場合の敷物１の形状を示したが、本発明にかかる敷物は単体で用いられてもよい。その場合、図８に示すように、中央から端部に向かいいずれの方向にも下がるように傾斜した形状が採用されることが望ましい。
【００４７】
また、図７に示した連結のための孔の配置位置や数は様々に変更可能である。例えば、図９（ａ）に示すように多くの孔を設けると、図９（ｂ）に示すように紐の通し方により様々なデザイン性を出すことができ、望ましい。
【符号の説明】
【００４８】
１…敷物、１０１…基層、１０２…クッション部、１０３…クッション層、１０４…クッション層、１０５…クッション層、１０６…茣蓙、１０７…茣蓙、１０８…エッジ出し部、１０９…カバー層、１１０…側面カバー部、１１１…滑り止め部材、１１２…鳩目、１１３…紐
【図１】
0006023455.tif 000002
【図２】
0006023455.tif 000003
【図３】
0006023455.tif 000004
【図４】
0006023455.tif 000005
【図５】
0006023455.tif 000006
【図６】
0006023455.tif 000007
【図７】
0006023455.tif 000008
【図８】
0006023455.tif 000009
【図９】
0006023455.tif 000010